【手続補正書】
【提出日】平成18年7月31日(2006.7.31)
【手続補正１】
【補正対象書類名】明細書
【補正対象項目名】特許請求の範囲
【補正方法】変更
【補正の内容】
【特許請求の範囲】
【請求項１】  ファイバ光学コネクタ及びアダプタアセンブリであって、
ａ．ファイバ光学コネクタと、
ｂ．アダプタと、
から成り
前記ファイバ光学コネクタは、
長手方向コネクタ軸を有するアウタコネクタハウジングと、
前記コネクタハウジング内に配設され、前記コネクタハウジングの先端の開口を介して露出している端部を有する光学ファイバと、
前記コネクタハウジングに搭載され、カバー開状態とカバー閉状態との間で回動するように前記コネクタハウジングに連結され、前記カバー閉状態では前記開口を覆い、前記カバー開状態では前記開口を露出するカバーと、
前記カバーを前記カバー閉状態に付勢するばねと、
を有し、
前記コネクタハウジングは、前記長手方向コネクタ軸と一致する長手方向コネクタガイドを備えており、
前記カバーはカムピン収容スロットを備えており、
前記アダプタは、
長手方向アダプタ軸を有し、内部及び開口端を画成する壁を有しているアダプタハウジングと、
前記コネクタハウジングが前記アダプタハウジング内で完全挿入状態になるように挿入されるとき、前記光学ファイバと結合するように前記内部に含まれているファイバ結合機構と、
前記コネクタハウジングが前記アダプタハウジング内で前記完全挿入状態になるように挿入されるとき、前記長手方向コネクタガイドと協働して前記コネクタ開口と前記ファイバ結合機構とを軸方向に整列させるように配設された長手方向アダプタガイドと、
前記コネクタハウジングが前記アダプタハウジング内で前記完全挿入状態になるように挿入されるとき、前記カムピン収容スロット内に収容され、前記カバーを付勢して前記カバー閉状態から前記カバー開状態にするように前記内部に配設されているカムピンと、
を有し、
前記内部及び前記開口端は、前記長手方向コネクタ軸と前記長手方向アダプタ軸とが一致した状態で前記先端を収容するような大きさであることを特徴とするファイバ光学コネクタ及びアダプタアセンブリ。
【請求項２】  前記ばねは、オーバーセンター位置を有し、前記コネクタハウジングが前記アダプタハウジング内で前記完全挿入状態になるように挿入されるとき、前記カバーが前記カムピンによって回動して前記オーバーセンター位置を通過した後で、前記ばねは前記カバーを前記カバー開状態に付勢することを特徴とする請求項１に記載のアセンブリ。
【請求項３】  前記ばねは、前記アウタコネクタハウジングに回動自在に取り付けられていることを特徴とする請求項１に記載のアセンブリ。
【請求項４】  前記ばねは、圧縮された状態で取り付けられている螺旋状のコイルばねであることを特徴とする請求項３に記載のアセンブリ。
【請求項５】  前記カムピンは、更に、前記コネクタハウジングを前記アダプタハウジングから取り除いたとき、前記カバーを前記カバー開状態から前記カバー閉状態に付勢するように配設されていることを特徴とする請求項１に記載のアセンブリ。
【請求項６】  前記アダプタハウジングは内部ドアを備えており、前記内部ドアは、前記内部に配設されており、ドア開位置とドア閉位置との間で移動可能であり、前記ドア開位置において、前記ファイバ結合機構は前記アダプタ開口端を介して露出し、前記ドア閉位置において、前記ドアは前記ファイバ結合機構を覆い、
前記コネクタハウジングにはカム表面があり、前記カム表面は、前記コネクタハウジングが前記アダプタハウジング内で前記完全挿入状態になるように挿入されるとき、前記ドアを付勢して前記ドア閉位置から前記ドア開位置まで移動させるように配設されていることを特徴とする請求項１に記載のアセンブリ。
【請求項７】  前記アダプタハウジングは、前記アダプタ長手方向軸に直交する実質的に矩形状の断面を有し、前記断面は、横断方向長軸及び横断方向短軸を備えており、
前記アダプタハウジングは、前記横断方向短軸に平行に延びている内壁を備え、前記内壁は、前記内部を第１及び第２コネクタ収容チャンバに分割し、前記第１及び及び第２コネクタチャンバは、それぞれ、前記コネクタハウジングを収容するような大きさであり、前記ファイバ結合機構と前記長手方向アダプタガイドと前記カムピンとを有することを特徴とする請求項１に記載のアセンブリ。
【請求項８】  前記コネクタハウジングは、前記コネクタ長手方向軸と前記カバーの回動軸とに直交するコネクタ横断方向軸を有し、
前記コネクタガイド及び前記カムピン収容スロットは、前記コネクタハウジングを前記チャンバのいずれかに挿入して前記コネクタ横断方向軸と前記横断方向短軸とが平行になったとき、前記アダプタガイド及び前記カムピンと一致するように配設されていることを特徴とする請求項７に記載のアセンブリ。
【請求項９】  前記コネクタハウジングは、前記アダプタハウジングに取り外し可能に接続される保持クリップを搭載しており、
前記保持クリップは可動端及びクリップ本体を備えており、前記クリップ本体は前記コネクタハウジングに固定されている固定端を有し、前記クリップ本体は前記コネクタハウジングから離れて容積部を形成しており、
前記保持クリップは、前記可動端が前記コネクタ開口と前記固定端との間に配置されるように配設されていることを特徴とする請求項１に記載のアセンブリ。
【請求項１０】  前記可動端は、前記コネクタハウジングに固定されているファイバ光学ケーブルの厚さの値よりも小さい値の距離だけ前記コネクタハウジングの対向する表面から離れていることを特徴とする請求項９に記載のアセンブリ。
【請求項１１】  前記アダプタ及び前記コネクタは、前記コネクタを前記アダプタに挿入する際、接合する素子をシールするＯリングシールを備えていることを特徴とする請求項１に記載のアセンブリ。
【請求項１２】  アダプタハウジングと、ファイバ結合機構と、長手方向アダプタガイドと、カムピンと、を有し、前記アダプタハウジングは長手方向アダプタ軸を有しており、且つ内部及び開口端を画成する壁を有し、前記ファイバ結合機構は前記内部に含まれていて光学ファイバと結合し、前記長手方向アダプタガイドは前記長手方向アダプタ軸と一致し、前記カムピンは前記内部に配設されているアダプタと接続するファイバ光学コネクタであって、
長手方向コネクタ軸を有するアウタコネクタハウジングと、
前記コネクタハウジング内に配設されている光学ファイバと、
前記コネクタハウジングに搭載されているカバーと、
長手方向コネクタガイドと、
前記カバーに設けられているカムピン収容スロットと、
ばねと、
から成り、
前記アウタコネクタハウジングは、前記長手方向コネクタ軸と前記長手方向アダプタ軸とが一致した状態で、前記コネクタハウジングの先端が前記アダプタ開口端内に収容されるような大きさであり、
前記光学ファイバは、前記コネクタハウジングの前記先端のコネクタ開口を介して露出している端部を有し、前記ファイバは、前記コネクタハウジングが前記アダプタハウジング内で完全挿入状態になるように挿入されるときに前記端部が前記ファイバ結合機構と結合するように配設されており、
前記カバーは、カバー開状態とカバー閉状態との間で回動自在に前記コネクタハウジングに接続されており、前記カバー閉状態では前記カバーは前記開口を覆い、前記カバー開状態では前記カバーは前記開口を露出しており、
前記長手方向コネクタガイドは、前記コネクタハウジングが前記アダプタハウジング内で前記完全挿入状態になるように挿入されるとき、前記長手方向アダプタガイドと協働して前記コネクタ開口と前記ファイバ結合機構とを軸方向に一致させ、
前記カムピンは、前記コネクタハウジングが前記アダプタハウジング内で前記完全挿入状態になるように挿入されるとき、前記カムピンが前記カバーを付勢して前記カバー閉状態から前記カバー開状態にするべく前記カムピンを収容するように配設され、
前記ばねは、前記カバーを前記カバー閉状態に付勢することを特徴とするファイバ光学コネクタ。
【請求項１３】  前記ばねは、オーバーセンター位置を有し、前記コネクタハウジングが前記アダプタハウジング内で前記完全挿入状態になるように挿入されるとき、前記カバーが前記カムピンによって回動して前記オーバーセンター位置を通過した後で、前記ばねは前記カバーを前記カバー開状態に付勢することを特徴とする請求項１２に記載のファイバ光学コネクタ。
【請求項１４】  前記ばねは、前記アウタコネクタハウジングに回動自在に取り付けられていることを特徴とする請求項１２に記載のファイバ光学コネクタ。
【請求項１５】  前記ばねは、圧縮された状態で取り付けられている螺旋状のコイルばねであることを特徴とする請求項１４に記載のファイバ光学コネクタ。
【請求項１６】  前記アダプタハウジングは内部ドアを備えており、前記内部ドアは、前記内部に配設されており、ドアが開位置とドア閉位置との間で移動可能であり、前記ドア開位置において、前記ファイバ結合機構は前記アダプタ開口端を介して露出し、前記ドア閉位置において、前記ドアは前記ファイバ結合機構を覆い、前記ファイバ光学コネクタは、更に、
前記コネクタハウジングに設けられたカム表面から成り、前記カム表面は、前記コネクタハウジングが前記アダプタハウジング内で前記完全挿入状態になるように挿入されるとき、前記ドアを付勢して前記ドア閉位置から前記ドア開位置まで移動させるように配設されていることを特徴とする請求項１２に記載のファイバ光学コネクタ。
【請求項１７】  前記コネクタハウジングは、前記アダプタハウジングに取り外し可能に接続される保持クリップを搭載しており、
前記保持クリップは可動端及びクリップ本体を備えており、前記クリップ本体は前記コネクタハウジングに固定されている固定端を有し、前記クリップ本体は前記コネクタハウジングから離れて容積部を形成しており、
前記保持クリップは、前記可動端が前記コネクタ開口と前記固定端との間に配置されるように配設されていることを特徴とする請求項１２に記載のファイバ光学コネクタ。
【請求項１８】  前記可動端は、前記コネクタハウジングに固定されているファイバ光学ケーブルの厚さの値よりも小さい値の距離だけ前記コネクタハウジングの対向する表面から離れていることを特徴とする請求項１７に記載のファイバ光学コネクタ。
【請求項１９】  前記コネクタハウジングはシールリングを含んでおり、前記シールリングは、前記コネクタを前記アダプタ内に挿入したとき、前記ファイバ結合機構の両面にシールされるように配設されていることを特徴とする請求項１２に記載のファイバ光学コネクタ。
【請求項２０】  前記ファイバの端部は、前記ファイバの長手軸に対して直交しないような角度で配置されていることを特徴とする請求項１２に記載のファイバ光学コネクタ。
【請求項２１】  前記コネクタハウジングは、前記ファイバが撓むことができるような大きさの内部キャビティを備えている請求項２０に記載のファイバ光学コネクタ。
【請求項２２】  ファイバ光学コネクタ及びアダプタアセンブリであって、
ａ．ファイバ光学コネクタと、
ｂ．アダプタと、
から成り、
前記ファイバ光学コネクタは、
１．長手方向コネクタ軸を有するアウタコネクタハウジングと、
２．前記コネクタハウジング内に配設され、前記コネクタハウジングの先端の開口を介して露出している端部を有する光学ファイバと、
３．前記コネクタハウジングに搭載されているカバーと、
４．ばねと、
から成り、
前記カバーは、カバー開状態とカバー閉状態との間で回動するように前記コネクタハウジングに接続されており、前記カバー閉状態において、前記カバーは前記開口を覆い、前記カバー開状態において、前記カバーは前記開口を露出し、前記カバーはカムピン収容スロットを備えており、
前記ばねは前記カバーを前記カバー閉状態に付勢しており、
前記アダプタは、
１．長手方向アダプタ軸を有するアダプタハウジングと、
２．ファイバ結合機構と、
３．カムピンと、
を有し、
前記アダプタハウジングは、内部及び開口端を画成する壁を有しており、前記内部及び前記開口端は、前記長手方向コネクタ軸と前記長手方向アダプタ軸とが一致した状態で前記先端を収容するような大きさであり、
前記ファイバ結合機構は、前記コネクタハウジングが前記アダプタハウジング内で完全挿入状態になるように挿入されるとき、前記光学ファイバと結合するように前記内部に含まれており、
前記カムピンは、前記コネクタハウジングが前記アダプタハウジング内で前記完全挿入状態になるように挿入されるとき、前記カムピン収容スロット内に収容され、前記カバーを付勢して前記カバー閉状態から前記カバー開状態にするように、前記内部に配設されていることを特徴とするファイバコネクタ及びアダプタアセンブリ。
【請求項２３】  前記ばねは、オーバーセンター位置を有し、前記コネクタハウジングが前記アダプタハウジング内で前記完全挿入状態になるように挿入されるとき、前記カバーが前記カムピンによって回動して前記オーバーセンター位置を通過した後で、前記ばねは前記カバーを前記カバー開状態に付勢することを特徴とする請求項２２に記載のファイバ光学コネクタ及びアダプタアセンブリ。
【請求項２４】  前記ばねは、前記アウタコネクタハウジングに回動自在に取り付けられていることを特徴とする請求項２２に記載のファイバ光学コネクタ及びアダプタアセンブリ。
【請求項２５】  前記ばねは、圧縮された状態で取り付けられている螺旋状のコイルばねであることを特徴とする請求項２４に記載のファイバ光学コネクタ及びアダプタアセンブリ。
【請求項２６】  アダプタハウジングと、ファイバ結合機構と、第１カム部と、を有し、前記アダプタハウジングは長手方向アダプタ軸を有しており、且つ内部及び開口端を画成する壁を有し、前記ファイバ結合機構は前記内部に含まれていて光学ファイバと結合するアダプタと接続するファイバ光学コネクタであって、
長手方向コネクタ軸を有するアウタコネクタハウジングと、
前記コネクタハウジング内に配設されている光学ファイバと、
前記コネクタハウジングに搭載されているカバーと、
前記カバーに設けられている第２カム部と、
ばねと、
から成り、
前記アウタコネクタハウジングは、前記長手方向コネクタ軸と前記長手方向アダプタ軸とが一致した状態で、前記コネクタハウジングの先端が前記アダプタ開口端内に収容されるような大きさであり、
前記光学ファイバは、前記コネクタハウジングの前記先端のコネクタ開口を介して露出している端部を有し、前記ファイバは、前記コネクタハウジングが前記アダプタハウジング内で完全挿入状態になるように挿入されるときに、前記端部が前記ファイバ結合機構と結合するように配設されており、
前記カバーは、カバー開状態とカバー閉状態との間で回動自在に前記コネクタハウジングに接続されており、前記カバー閉状態では、前記カバーは前記開口を覆い、前記カバー開状態では、前記カバーは前記開口を露出し、
前記第２カム部は、前記コネクタハウジングが前記アダプタハウジング内で前記完全挿入状態になるように挿入されるとき、前記第１カム部が前記カバーを付勢して前記カバー閉状態から前記カバー開状態にするべく前記第１カム部と係合するように配設され、
前記ばねは前記カバーを前記カバー閉状態に付勢しており、前記ばねはオーバーセンター位置を有し、前記コネクタハウジングが前記アダプタハウジング内で前記完全挿入状態になるように挿入されるとき、前記カバーが前記第１カム部によって回動して前記オーバーセンター位置を通過した後で、前記ばねは、前記カバーを前記カバー開状態に付勢することを特徴とするファイバ光学コネクタ。
【請求項２７】  前記ばねは、前記アウタコネクタハウジングに回動自在に取り付けられていることを特徴とする請求項２６に記載のファイバ光学コネクタ。
【請求項２８】  前記ばねは、圧縮された状態で取り付けられている螺旋状のコイルばねであることを特徴とする請求項２７に記載のファイバ光学コネクタ。
【請求項２９】  
前記ファイバ光学コネクタは、更に、前記長手方向アダプタ軸と一致している長手方向アダプタガイドと、長手方向コネクタガイドと、から成り、前記長手方向コネクタガイドは、前記コネクタハウジングが前記アダプタハウジング内で前記完全挿入状態になるように挿入されるとき、前記長手方向アダプタガイドと協働して前記コネクタ開口と前記ファイバ結合機構とを軸方向に一致させるように配設されていることを特徴とする請求項２６に記載のファイバ光学コネクタ。
【請求項３０】
ファイバ光学コネクタ及びアダプタアセンブリであって、
（a）アダプタと、
（b）ファイバ光学コネクタと、
（c）アクチュエータと、
から成り、
前記アダプタは、長手方向アダプタ軸を有するアダプタハウジングと、ファイバ結合機構と、を備えており、前記アダプタハウジングは、前記アダプタの内部及び開口端を画成する壁を有しており、前記ファイバ結合機構は、光学ファイバと結合するように前記内部に備えられており、前記光学ファイバと前記ファイバ結合機構とは整列しており、
前記ファイバ光学コネクタはアウタコネクタハウジングを備えており、前記アウタコネクタハウジングは長手方向コネクタ軸を有しており、前記アウタコネクタハウジングの先端は、前記アダプタの前記開口端の中に収容されるような大きさであり、前記長手方向コネクタ軸と前記長手方向アダプタ軸とは一致しており、前記ファイバ光学コネクタは、
（i）前記アウタコネクタハウジング内に配設されている光学ファイバと、
（ii）前記アウタコネクタハウジングに搭載されているカバーと、
（iii）ばねと、
を備えており、
前記光学ファイバは、前記アウタコネクタハウジングの前記先端のコネクタ開口を介して露出する端部を有しており、前記光学ファイバは、前記アウタコネクタハウジングが前記アダプタハウジング内で完全挿入状態になるように挿入されるとき、前記光学ファイバの前記端部が前記ファイバ結合機構と結合するように、配設されており、
前記カバーは、カバー開状態とカバー閉状態との間で回動するように前記アウタコネクタハウジングに回動自在に接続されており、前記カバーは、前記カバー閉状態では前記コネクタ開口を覆い、前記カバー開状態では前記コネクタ開口を露出させ、
前記ばねは前記カバーを前記カバー閉状態に付勢し、前記ばねはオーバーセンター位置を有しており、前記アウタコネクタハウジングが前記アダプタハウジング内に前記完全挿入状態になるように挿入されるときに前記カバーが回動して前記オーバーセンター位置を通過した後、前記ばねは、前記カバーを前記カバー開状態に付勢し、
前記アクチュエータは、前記ファイバ光学コネクタが前記アダプタ内に挿入されるとき、前記カバーを移動させて前記カバー閉状態から前記カバー開状態にすることを特徴とするアセンブリ。
【請求項３１】
前記アクチュエータは、前記アウタコネクタハウジングが前記アダプタハウジングから取り除かれるとき、前記カバーを移動させて前記カバー開状態から前記カバー閉状態にすることを特徴とする請求項３０に記載のアセンブリ。